(57)【特許請求の範囲】
【請求項１】
傷口に接触する多孔フィルムと、
傷口からの滲出液を吸水する吸水シートと、
吸水シートに吸収した滲出液が外部に漏れることを防止する防水フィルムと、を備え、
前記多孔フィルム、前記吸水シート、前記防水フィルムの順序で複数の層を構成する傷口被覆シートの製造方法であって、
前記多孔フィルムは、溶融槽から発泡剤を混入した熱可塑性樹脂を溶出して環状スリットを設けた押出成型手段により筒状フィルムを形成すると共に、筒状フィルムはその内周壁が一定間隔に複数段積層した円盤の外周縁に沿って接触しながら引上げられるように構成し、しかも、積層円盤の３〜４段目までは漸次径が拡大し、筒状フィルムの樹脂原料がゲル化しない状態で引上げられるように構成し、その上方は同径の積層円盤として樹脂原料はゲル化して引上げられるように構成し、更には筒状フィルムが摺動する積層円盤の円盤先端縁には、気泡破裂手段として傾斜面により断面三角形状の空気溜まり空間を形成し、積層した各円盤間には各円盤中心部に貫通した中空パイプのエアー吹出口から空気を圧送することにより筒状フィルムに含有された気泡をフィルムの合成樹脂がゲル化しない状態では伸長させ、ゲル化した状態では破泡させて筒状フィルムに破泡孔を多数形成して構成したことを特徴とする傷口被覆シートの製造方法。
【請求項２】
前記防水フィルムの上面に、傷口に貼付するための貼付部を十文字状に形成して設けたことを特徴とする請求項１に記載の傷口被覆シートの製造方法。
【発明の詳細な説明】
【技術分野】
【０００１】
本発明は、人体の傷口を保護する傷口被覆シートに関し、特に床ずれによる傷口の保護に最適な傷口被覆シートに関する。
【背景技術】
【０００２】
従来、寝たきりの病人や高齢者が、長期間に亘って寝ていることで発症する床ずれを防止、保護するための床ずれ防止シートや、発症した床ずれを治療するための治療用パッドが提案されている。
【０００３】
上記床ずれ防止シートとしては、合成樹脂製のバックフィルムに所定の径の突起を有する合成樹製のキャップフィルムを、気泡を形成するように接着した気泡シートの気泡の頭部側（表面側）に、天然繊維、合成繊維等による織布、不織布もしくは紙等の当てシートを接着してキャップフィルムを挟んだサンドイッチ構造とした積層シートが提案されている。（特許文献１参照。）
【０００４】
上記治療用パッドとしては、湿潤療法において用いる創傷部の治療用パッドであって、複数の孔部を備え、創傷部を湿潤状態に保持する保持層と、孔部を通して、創傷部からの滲出液を吸収する吸収層と、を備えており、保持層と吸収層は少なくともその縁部において固着しており、保持層の皮膚との接触面の一部または全部にワセリンが塗布可能な治療用パッドが提案されている。（特許文献２参照。）
【先行技術文献】
【特許文献】
【０００５】
【特許文献１】特開２００７−３０７１３３号公報
【特許文献２】特開２００８−２００３４１号公報
【発明の概要】
【発明が解決しようとする課題】
【０００６】
ところが、上記特許文献１による床ずれ防止シートでは、寝たきりの人体の体圧を分散させて、床ずれが発症することを防止することはできるが、既に発症した床ずれの治療には効果が薄いという問題があった。また、上記特許文献２による治療用パッドでは、安価な食品用ラップを用いて湿潤療法を行えるので費用効果は大きいが、人体に発症した床ずれとラップとの接触による刺激により、床ずれが悪化することを完全に防ぐことはできず、治療効果を十分に得ることができないという問題があった。
【０００７】
本発明は、上記課題を解決するために、安価な素材を用いて床ずれ等の傷口の治療に有効な傷口被覆シートを提供することを目的とする。
【課題を解決するための手段】
【０００８】
上記の課題を解決するために、請求項１に記載の発明は、傷口に接触する多孔フィルムと、傷口からの滲出液を吸水する吸水シートと、吸水シートに吸収した滲出液が外部に漏れることを防止する防水フィルムと、を備え、前記多孔フィルム、前記吸水シート、前記防水フィルムの順序で複数の層を構成する傷口被覆シートであって、前記多孔フィルムは、溶融槽から発泡剤を混入した熱可塑性樹脂を溶出して環状スリットを設けた押出成型手段により筒状フィルムを形成すると共に、筒状フィルムはその内周壁が一定間隔に複数段積層した円盤の外周縁に沿って接触しながら引上げられるように構成し、しかも、積層円盤の３〜４段目までは漸次径が拡大し、筒状フィルムの樹脂原料がゲル化しない状態で引上げられるように構成し、その上方は同径の積層円盤として樹脂原料はゲル化して引上げられるように構成し、更には筒状フィルムが摺動する積層円盤の円盤先端縁には、気泡破裂手段として傾斜面により断面三角形状の空気溜まり空間を形成し、積層した各円盤間には各円盤中心部に貫通した中空パイプのエアー吹出口から空気を圧送することにより筒状フィルムに含有された気泡をフィルムの合成樹脂がゲル化しない状態では伸長させ、ゲル化した状態では破泡させて筒状フィルムに破泡孔を多数形成して構成したことを特徴とする。
【０００９】
請求項２に記載の発明は、請求項１に記載の傷口被覆シートにおいて、前記防水フィルムの上面に、傷口に貼付するための貼付部を十文字状に形成して設けたことを特徴とする。
【発明の効果】
【００１０】
請求項１に記載の傷口被覆シートによれば、傷口に接触する多孔フィルムと、傷口からの滲出液を吸水する吸水シートと、吸水シートに吸収した滲出液が外部に漏れることを防止する防水フィルムと、を備え、前記多孔フィルム、前記吸水シート、前記防水フィルムの順序で複数の層を構成する傷口被覆シートであって、前記多孔フィルムは、溶融槽から発泡剤を混入した熱可塑性樹脂を溶出して環状スリットを設けた押出成型手段により筒状フィルムを形成すると共に、筒状フィルムはその内周壁が一定間隔に複数段積層した円盤の外周縁に沿って接触しながら引上げられるように構成し、しかも、積層円盤の３〜４段目までは漸次径が拡大し、筒状フィルムの樹脂原料がゲル化しない状態で引上げられるように構成し、その上方は同径の積層円盤として樹脂原料はゲル化して引上げられるように構成し、更には筒状フィルムが摺動する積層円盤の円盤先端縁には、気泡破裂手段として傾斜面により断面三角形状の空気溜まり空間を形成し、積層した各円盤間には各円盤中心部に貫通した中空パイプのエアー吹出口から空気を圧送することにより筒状フィルムに含有された気泡をフィルムの合成樹脂がゲル化しない状態では伸長させ、ゲル化した状態では破泡させて筒状フィルムに破泡孔を多数形成して構成したので、傷口と接触した多孔フィルムを介して傷口からの滲出液を速やかに吸水シートに吸水及び保持することで傷口を乾燥状態に維持し、なおかつ、傷口への刺激が少ない傷口被覆シートを提供することができるため、傷口の治りを促進することが可能となり、床ずれ等の傷口の治療効果の向上を図ることができる。
【００１１】
請求項２に記載の傷口被覆シートによれば、前記防水フィルムの上面に、傷口に貼付するための貼付部を十文字状に形成して設けたので、当該傷口被覆シートの人体の傷口への貼付及び交換作業を速やかに行うことが可能となる。
【図面の簡単な説明】
【００１２】
【図１】本発明の実施例における傷口被覆シートの平面図及び底面図である。
【図２】本発明の実施例における傷口被覆シートの構成を示す断面図である。
【図３】本発明の実施例における傷口被覆シートの使用例を説明する図である。
【図４】本発明の実施例における傷口被覆シートの多孔フィルムの構成を説明する拡大斜視図である。
【図５】本発明の実施例における傷口被覆シートの貼付部を説明する図である。
【図６】本発明の傷口被覆シートの製造に使用する傷口被覆シート製造装置を示す図である。
【図７】図６の一部拡大説明図である。
【図８】図７の一部拡大説明図である。
【図９】本発明の実施例における筒状フイルムに開設された複数の楕円状の縦長孔の機能を説明する図である。
【図１０】本発明の実施例における筒状フイルムに複数の縦方向に長い楕円状の縦長孔が開設される構成を説明する図である
【図１１】本発明の実施例における傷口被覆シートの構成を示す断面図及び斜視図である。
【図１２】本発明の実施例における傷口被覆シートの貼付状態を説明する図である。
【発明を実施するための形態】
【００１３】
本発明は、傷口に接触する多孔フィルムと、傷口からの滲出液を吸水する吸水シートと、吸水シートに吸収した滲出液が外部に漏れることを防止する防水フィルムと、を備え、前記多孔フィルム、前記吸水シート、前記防水フィルムの順序で複数の層を構成する傷口被覆シートであって、前記多孔フィルムは、溶融槽から発泡剤を混入した熱可塑性樹脂を溶出して環状スリットを設けた押出成型手段により筒状フィルムを形成すると共に、筒状フィルムはその内周壁が一定間隔に複数段積層した円盤の外周縁に沿って接触しながら引上げられるように構成し、しかも、積層円盤の３〜４段目までは漸次径が拡大し、筒状フィルムの樹脂原料がゲル化しない状態で引上げられるように構成し、その上方は同径の積層円盤として樹脂原料はゲル化して引上げられるように構成し、更には筒状フィルムが摺動する積層円盤の円盤先端縁には、気泡破裂手段として傾斜面により断面三角形状の空気溜まり空間を形成し、積層した各円盤間には各円盤中心部に貫通した中空パイプのエアー吹出口から空気を圧送することにより筒状フィルムに含有された気泡をフィルムの合成樹脂がゲル化しない状態では伸長させ、ゲル化した状態では破泡させて筒状フィルムに破泡孔を多数形成して構成したことを特徴とする。
【００１４】
すなわち、本発明は、人体の傷口を保護する傷口被覆シートに関し、特に床ずれによる傷口の保護に最適な傷口被覆シートとして使用するものである。
【００１５】
以下、本実施例に係る傷口被覆シートについて、図面を参照して説明する。
【００１６】
図１に示すように、本実施例に係る傷口被覆シート１は、平面視で所定の大きさの四角形の一枚のシート状に形成されている。裏面の多孔フィルム２は、表面の防水フィルム４よりも一回り大きい面積の四角形に形成され、この防水フィルム４よりも大きい面積の部分により、表面の防水フィルム４の四辺を覆って防水フィルム４の表面に張り付けられている。なお、傷口被覆シート１の大きさは、人体の傷口の大きさに合わせて複数種類のサイズが用意されているものである。さらに、傷口被覆シート１の形状は、四角形に限定されるものではなく、円形、楕円形、ひょうたん形など、貼付する傷口の形状に合わせて様々な形状とすることができる。
【００１７】
図２に示すように、傷口被覆シート１は、多孔フィルム２を傷口との接触部である最下層に配置し、多孔フィルム２の上部に傷口からの滲出液や膿等の液体を吸水する吸水シート３を配置し、さらにこの吸水シート３の上部に吸水シート３で吸収した水分が外部に漏れることを防ぐ防水フィルム４を配置して、最下層の多孔フィルム２により表面の防水フィルム４の四辺を覆う三層構造としている。
【００１８】
多孔フィルム２は、原料となる熱可塑性の樹脂（ポリ塩化ビニル、ポリエチレン、ポリプロピレンなど）を加熱して溶融し、さらに、溶融した樹脂に発泡剤を混合して気泡を発生させ、この溶融した樹脂からシート状のフィルムを形成する工程で、溶融した樹脂に発生した気泡を破裂させることにより、大きさや形状の異なる多数の微細な楕円形状の縦長孔がランダムに開設されたシート状のフィルムが好適に用いられる。なお、多孔フィルム２の製造工程については、詳細は後述する。
【００１９】
吸水シート３は、吸水性や吸油性に優れた素材が用いられ、例えば、安価なキッチンペーパーなどが好適に用いられる。防水フィルム４は、防水フィルム４に吸収した水分が傷口被覆シート１の表面に漏洩しない素材が用いられ、例えば、食品用ラップなどが好適に用いられる。
【００２０】
本実施例の傷口被覆シート１は、図３（ａ）に示すように、床ずれの症状が進行している人体の傷口Ｋに、図３（ｂ）に示すように、医療用テープＴなどを用いて、防水フィルム４を表面に、多孔フィルム２が傷口Ｋに接触するように貼付される。そして、本願出願人の検証によれば、定期的に傷口被覆シート１を交換することで、図３（ｃ）に示すように、劇的に床ずれ等の傷口Ｋの治療効果を向上させることができた。
【００２１】
本実施例にかかる多孔フィルム２は、図４に示すように、多数の微細な縦長孔Ｂがランダムに上下に貫通して開設されているため、傷口が大きな場合でも、多孔フィルム２の全面に亘って形成された多数の縦長孔Ｂから、傷口からの滲出液や膿等の水分が排出され速やかに吸水シート３に吸収することができる。また、多孔フィルム２と傷口との接触面は、縦長孔Ｂが開設されるときの気泡の破裂により凸凹状になっているため、傷口との接触面に小さな隙間が生じる。このため、この隙間を通して傷口からの水分が流動して多数の縦長孔Ｂから排出されて吸水シート３に吸収することができる。このため、傷口からの滲出液や膿等の水分を吸水して、傷口を乾燥した状態に保つことができる。また、多数の微細な縦長孔Ｂがランダムに上下に貫通して開設されているため、縦長方向と直行する幅方向に伸縮性に優れており、乾燥した傷口への刺激が緩和される。
【００２２】
さらに、図１０（ｂ）に示すように、多孔フィルム２に開設された多数の縦長孔Ｂの内周端面には、破裂した気泡Ａの表面を覆う薄膜Ｆ１が破裂した後の破裂片Ｆ２が、多孔フィルム２の表裏面側にそれぞれ突出した状態で残ることになる。つまり、図１２に示すように、多孔フィルム２の表裏面は、平坦な平面状態ではなく無数の小さな凹凸を有することになり、この無数の小さな凹凸により、多孔フィルム２と傷口Ｋとの接触面に微細な間隙を生じさせることができる。
【００２３】
これにより、図１２に示すように、傷口被覆シート１の多孔フィルム２を傷口Ｋに貼付した場合に、多孔フィルム２と傷口Ｋとの接触面に形成された凹凸による隙間により、傷口Ｋと多孔フィルム２との接触面が密着することを防ぐことができる。また、多孔フィルム２の縦長孔Ｂに突出した状態で残った破裂片Ｆ２は、多孔フィルム２が傷口と接触した場合の緩衝部としても機能することになり、さらに、多孔フィルム２に開設されている多数の微細な縦長孔Ｂは、楕円形状のため伸縮性に優れ、乾燥した傷口Ｋと接触した場合でも傷口Ｋを刺激することが少なく、治療効果の向上を図ることが可能となる。
【００２４】
図５に示すように、本実施例における傷口被覆シート１は、防水フィルム４の表面に、人体に傷口被覆シート１を貼り付けるための貼付部５を設けることができる。図５（ａ）に示す例では、貼付部５は、四角形に形成された傷口被覆シート１の四辺をはみ出して十文字状（×印状）に形成されている。そして、この４か所のはみ出した部分の底面に、人体に傷口被覆シート１を添付するための接着面５ａをそれぞれ有している。
【００２５】
また、図５（ｂ）に示す例では、貼付部５は、四角形に形成された傷口被覆シート１の四角をはみ出して十文字状（×印状）に形成されている。そして、この４か所のはみ出した部分の底面に、人体に傷口被覆シート１を添付するための接着面５ａをそれぞれ有している。
【００２６】
このように、四角形に形成された傷口被覆シート１の四辺（又は４角）を抑えられるように、接着面５ａを有する貼付部５を設けた構成とすることで、傷口被覆シート１を傷口に安定して貼付することができ、また、人体の傷口への傷口被覆シート１の貼付及び交換作業を容易とすることが可能となる。また、防水フィルム４の表面に貼付部５を設けることで、傷口と接触する多孔フィルム２に接着面５ａを設ける必要がないため、多孔フィルム２の全面において、傷口からの滲出液や膿等の水分を吸水して、傷口を乾燥した状態に保つことを可能としている。
【００２７】
なお、床ずれ等を発症する患者は、高齢者が多く皮膚が弱いため、皮膚に傷口被覆シート１を直接貼付するのではなく、例えば、包帯などで傷口被覆シート１を傷口の上に巻きつけて固定するようにしてもよい。上述した構成の傷口被覆シート１によれば、安価な素材を用いて床ずれ等の傷口のラップ治療を行うことが可能となる。
【００２８】
以下に、本実施形態に係る傷口被覆シート１を構成する多孔フィルム２の製造方法を装置とともに図６〜８に基づき説明する。
【００２９】
まず、ポリスチレン、ポリプロピレン、高密度ポリエチレン等から選択した熱可塑性樹脂原料を加熱溶融し、その中に発泡剤を混合して溶融樹脂原料中に多数の大小気泡を生成し、かかる気泡含有樹脂原料を筒状フィルムに成形し、筒状フィルムＦの周壁内に気泡を含有させた状態とし、次いで筒状フィルムを扁平状に巻取るまでの間で、筒状フィルムが半硬化状態からゲル化した後に筒状フィルムＦの周壁内の気泡を気泡破裂手段により破裂させて筒状フィルムＦの全周壁に大きさや形状の異なる多数の縦長孔Ｂを不整順に開口形成して多孔フィルム２と、かかる多数の多孔フィルム２を傷口被覆シート１として所定形状に裁断成形するものである。
【００３０】
図６に示すように、かかる多孔フィルム２を作製する孔付き筒状フィルム成形装置１００は、熱可塑性樹脂原料４１を加熱溶融してその中に発泡剤を混合して溶融樹脂原料中に多数の大小気泡を生成する加熱溶融手段４０と、筒状フィルムＦの周壁内に気泡を含有させた状態としてかかる気泡含有樹脂原料を筒状フィルムＦに成形する押出成形手段４６と、筒状フィルムＦを扁平状に巻取るまでの間で、筒状フィルムが半硬化状態からゲル化した後に筒状フィルムＦの周壁内の気泡を破裂させて筒状フィルムＦの全周壁に大きさや形状の異なる多数の縦長孔Ｂを不整順に開口形成する気泡破裂手段４７と、かかる筒状フィルムＦを扁平状にしてロール状に巻取る巻取手段５４と、巻取手段５４で巻上げた扁平状の筒状フィルムＦを所定の幅で切断してシート状の多孔フィルム２を形成する切断部５９と、所定の幅に切断された多孔フィルム２を収容するフィルム収容部１０１と、により構成される。
【００３１】
加熱溶融手段４０は、溶融槽４２と、加熱ヒータ４４と、搬送コンベア４５とを備える。
【００３２】
すなわち、加熱溶融手段４０は、図６に示すように、熱可塑性樹脂原料４１を収納可能に溶融槽４２を構成し、溶融槽４２の上部には溶融樹脂原料を投入する投入口４３を構成し、溶融槽４２内には収納した熱可塑性樹脂原料４１を加熱する加熱ヒータ４４を構成し、溶融槽４２内にはスクリューコンベアからなる搬送コンベア４５を構成している。
【００３３】
押出成形手段４６は、図７に示すように、溶融槽４２の搬送先端側に連通連設されており、外枠型４６−２に一定間隔のスリットを保持して内枠型４６−１を収納し、内枠型４６−１と外枠型４６−２との間隔のスリットは、溶融槽４２により溶融された熱可塑性樹脂原料４１を円筒形状に上方に押出すための環状スリット６３を形成している。
【００３４】
また、環状スリット６３は、上方に向かってスリット幅員が漸次減少し、終端開口縁は、筒状フィルムＦを成形する押出口６２を構成しており、フィルムの厚み規制はこの押出口６２の幅員の調整による。なお、６２は外枠型４６−２の内部に連通した樹脂通路を示す。
【００３５】
気泡破裂手段４７は、前記押出成形手段４６で成形された筒状フィルムＦの周壁内の気泡を破裂させるものであり、複数段に一定間隔で積層した円盤５０と、その外周縁を下方に向かった傾斜面に形成して鋭角とした円盤先端縁５８ｂと、それに当接した筒状フィルムＦ内周面により形成した断面略三角形状の空気溜り空間５８ａと、積層した円盤５０間の空間に空気を送気する空気供給経路Ｏとより構成している。しかも、後述するように筒状フィルムＦの押出し成形初期は半硬化状樹脂とし、その後ゲル化して気泡を固化し気泡破裂手段４７により破泡する。
【００３６】
しかも、押出成形手段４６における環状スリット６３上方に一定間隔で積層した複数段の円盤５０は最下層から３〜４段目までは漸次径が拡大し、その上方段は同径或いはやや拡径の積層円盤としている。
【００３７】
更には、最下層から複数段目、例えば、３〜４段目の円盤まで押出され拡径の筒状となる熱可塑性樹脂原料４１は、未硬化状態の樹脂原料のまま、すなわち、ゲル化しないままで保形される速度で押出成形を行う。未硬化状態とはいっても一定のシート状の形状を保形した状態であり、上方に連続して引張り上げられるだけの粘性を有している。
【００３８】
この未硬化の未ゲル化状態で押出成形された筒状フィルムＦ中には気泡が含有されているが、樹脂原料は半溶融状態で粘稠性を有しているため半硬化状態で気泡周壁が伸長し、含有された気泡も縦方向に伸長する。しかし、この状態ではまだ気泡は破泡していない。
【００３９】
そして、環状スリット６３から押し出されて0.5〜1.8秒で円盤の３〜４段目より上方に至ると樹脂原料は未硬化状態から徐々にゲル化していき、ゲル化した気泡周壁において気泡が固化し、気泡破裂手段４７により完全に破泡し、筒状フィルムＦ周壁に破泡による多数の孔が形成される。
【００４０】
このように、押出成形手段４６によって筒状フィルムＦが成形されて積層円盤の外周縁に沿って引張り上げられる筒状フィルムＦは、下層円盤から３〜４段上方の円盤に至るまでは樹脂原料は未硬化状態で上方に移動し、徐々にゲル化状態となって引張り上げられる。このことにより、次のような状況が理解できる。
【００４１】
（１）最下層の円盤から未硬化状態で引張り上げられる距離を長くすれば（積層した円盤の数が多くなれば）その分包含気泡は縦長に引っ張られて徐々にゲル化し破裂した後は、縦長に伸長した大き目の気泡を形成する。
【００４２】
換言すれば、未硬化状態の樹脂原料を引張り上げる距離や時間や未硬化状態でガイドされる積層円盤の個数等を調整することにより破裂気泡の縦長孔の大きさを調整することができる。例えば、本実施形態では、未硬化状態の樹脂原料がゲル化（破泡可能な程度に固化）するまでの時間は0.5〜1.8秒としている。
【００４３】
（２）筒状フィルムＦを引張り上げる際の時間経過とともに未硬化状態の樹脂原料は徐々にゲル化していくため、引上げ速度を調整することによって破裂気泡の縦長孔の大きさを調整することができる。例えば、本実施形態では、筒状フィルムＦの引上げ（巻取）速度は10〜25m/minとしている。
【００４４】
（３）未硬化状態の樹脂原料を上方に引張ることで形成される気泡の縦長形成（縦長楕円孔）は、ゲル化状態で破裂する際に破裂ひだが縦長の破裂孔の左右縁に形成され破裂ひだが縦方向になびく。その結果、多数筒状フィルムの孔表面は、フィルムの進行方向に対して左右縁のひだが干渉しないため滑動しやすくなるに対しては、進行横断方向に対しては左右縁の破裂ひだが微細突片となり横滑りに干渉して滑りにくくなる。従って傷口被覆シート１としてとして使用する場合は傷口に上方から被覆する取扱いが容易となる。
【００４５】
（４）筒状フィルムＦは引き上げられる際に円盤の外周縁部に沿って引き上げられるが、最下層から数段の円盤に至るまでは筒状フィルムが未硬化状態であるため、空気圧により拡開気味に膨大し、円盤外周縁との接触が全んど生起せず、その分筒状フィルムの引上げに円盤抵抗がない。しかし、その上方に変位するに従いゲル化していき硬化した筒状フィルム内面と円盤外周縁との滑動がしやすく硬化フィルムの引上げが円滑に行われる。
【００４６】
すなわち、図８（ａ）に示すように、円盤５０は、複数段に一定間隔で積層し、最下部に配置された円盤５０の直径が最も小さく、その最下段から所定直径になる３段目までは直径が段階的に大きくなるように構成し４段目からは同直径となって複数段重ねている。
【００４７】
また、円盤５０の外周縁は、前述した通り図８（ａ）に示すように、下方に向かった傾斜面により鋭角に形成した円盤先端縁５８ｂを形成している。
【００４８】
また、積層した円盤５０を中心部において支持する中空パイプ５１は内部に空気を送気する空気供給経路Ｏを形成しており、コンプレッサーの空気供給手段６０からエアー供給管６１を介して圧搾空気を送気する。そして、中空パイプ５１の外周壁には積層した円盤間に送気するための複数のエアー吹出口５７が開設されている。
【００４９】
巻取手段５４は、前記気泡破裂手段４７を含む積層円盤の上方に配設し、２本の弾性ガイド線５２ａ，５２ａからなる扁平手段５２と、一組のピンチローラ５３、５３と、ガイドローラ５５，５５と、巻取装置（図示せず）とにより構成している。
【００５０】
孔付き筒状フィルム成形装置１００により傷口被覆シート１としての多孔フィルム２を作製する方法及びその装置は前述の通りである。
【００５１】
なお、図６に示すように、筒状フィルムＦは左右二本の弾性ガイド線５２ａ，５２ａの外方に沿って案内されながら扁平状に折り畳まれる。
【００５２】
扁平手段５２により扁平状に押し広げられた筒状フィルムＦは、巻取手段５４を構成する一組のピンチローラ５３、５３で巻き上げられた後、複数のガイドローラ５５を介して切断部５９に搬送され、切断部５９により所定の幅のシート状に切断される。所定の幅に切断された筒状フィルムＦは、シート状の多孔フィルム２としてフィルム収容部１０１に重ねて収容される。
【００５３】
ここで、図６〜８を参照して、筒状フィルムＦの周壁内の気泡が気泡破裂手段４７により破泡されて、筒状フィルムＦの全周壁に大きさや形状の異なる多数の縦長孔Ｂが不整順に形成される態様について説明する。
【００５４】
図６に示すように、所定厚みに引き伸ばされた筒状フィルムＦは、複数の円盤５０の円盤先端縁５８ｂと接触しながら巻取手段５４により上方に巻き上げられる。
【００５５】
円盤５０の外周端には下方に向かった傾斜面を鋭角に形成した円盤先端縁５８ｂが形成されており、また円盤５０の円盤先端縁５８ｂには上端鋭角部５８ｃが形成されており、この上端鋭角部５８ｃに筒状フィルムＦの内周面が接触する。
【００５６】
そして、空気供給経路Ｏを通して中空パイプ５１の外周壁に設けた複数のエアー吹出口５７から積層した円盤５０間に空気を送気すると、円盤５０の円盤先端縁５８ｂと筒状フィルムＦの内周面との間に断面略三角形状の空気溜り空間５８ａが形成される。 
【００５７】
そして、筒状フィルムＦの押出成形初期では、前述の通り、樹脂が未硬化状態であるため粘性を有しており、気泡が空気圧で伸長しても破泡しない。しかし、ゲル化すると樹脂に含有された気泡は固化し破泡して薄膜フィルムに破泡孔を形成する。
【００５８】
すなわち、筒状フィルムＦの内方に吹き込まれた圧搾空気は、空気溜り空間５８ａの下側開口部より空気溜り空間５８ａの上側狭窄部へ向かって圧送され、その圧送付勢力により、ゲル化した筒状フィルムＦの内周面のうち、特に円盤５０周縁の空気溜り空間５８ａに位置した筒状フィルムＦの内周面は大きく膨出されて破泡を促すことになる。
【００５９】
なお、前記円盤先端縁５８ｂは、図８（ａ）の形状に限られず、図８（ｂ）に示すように、下方に向かった傾斜面を湾曲状に構成することもできる。
【００６０】
また、エアー吹出口５７から筒状フィルムＦの内部に吹き込まれる空気を加熱することにより、加熱膨張空気となって空気溜り空間５８内でより強く筒状フィルムＦの内周面を圧迫し破裂穿孔するように構成することもできる。
【００６１】
また、エアー吹出口５７の開口径は、圧送供給されるエアにより吹出音が生起される径としている。
【００６２】
このような構成とすることにより、各円盤５０間に形成された空間内で吹出音を反響させて定常波を生成し、この定常波の音圧によって破泡を促すことができる。
【００６３】
このようにして、図９（ａ）に示すように、筒状フィルムＦに封じ込められた中央部が幅Ｌ１を有した縦方向に長楕円形状の気泡Ａは、筒状フィルムＦの内部からの空気圧による押圧付勢により、図９（ｂ）に示すように中央部が幅Ｌ１から幅Ｌ２に横方向に押し広げられる。
【００６４】
そして、筒状フィルムＦの内周面と、円盤５０の外周上端縁の上端鋭角部５８ｃとの接触及び空気溜り空間５８ａの空気圧による押圧付勢により、気泡Ａを覆う表面の薄膜を破裂させ、異なる大きさ及び形状で、筒状フィルムＦの縦方向に楕円状の多数の縦長孔Ｂが異なる位置に不規則に穿孔開設されることになる。
【００６５】
筒状フィルムＦの樹脂内に封じ込められた気泡Ａは、図１０（ａ）に示すように、薄い薄膜Ｆ１により表面が覆われており、前述の通り空気溜り空間５８ａの空気圧による押圧付勢により気泡Ａの表面の薄膜Ｆ１が破裂して、図１０（ｂ）に示すように、筒状フィルムＦの縦方向に長い楕円状の縦長孔Ｂが穿孔開設される。
【００６６】
また、図１０（ｂ）に示すように、筒状フィルムＦに開設された縦長孔Ｂの内周端面には、破裂した気泡Ａの表面を覆う薄膜Ｆ１の破泡による破裂片Ｆ２、いわゆる破裂ひだが破泡の外周縁に縦方向に並んで残る。
【００６７】
このように、気泡破裂手段４７により、筒状フィルムＦの全周壁に縦長孔Ｂを大きさや形状が異なる状態で多数に穿孔開設することができる。
【００６８】
この場合でも、筒状フィルムＦに開設された複数の縦長孔Ｂは、未硬化状態の樹脂中で伸長されているために、巻取手段５４により上部に巻き上げられる状態と相俟って縦方向の楕円状に形成される。更には、エアー吹出口５７から筒状フィルムＦの内部に圧搾空気が吹き込まれることによって筒状フィルムＦの原料となる熱可塑性樹脂原料４１は冷却され、図１０（ｂ）に示すように、複数の縦長孔Ｂは縦方向に長い楕円状でゲル化される。
【００６９】
このようにして多孔フィルム２を得ることができ、この多孔フィルム２を傷口被覆シート１として使用する。
【００７０】
上述してきた工程で製造され、フィルム収容部１０１に重ねて収容されたシート状の多孔フィルム２は、拡張すると上下に開口部を有する筒状である。このため、筒状の多孔フィルム２の外周面を垂直に切断して一枚の多孔フィルム２に展開し、この一枚のシート状の多孔フィルム２を用いて本実施例における傷口被覆シート１（図１参照）を構成している。
【００７１】
しかしながら、筒状の多孔フィルム２をそのまま利用して傷口被覆シート１を構成することもできる。すなわち、図１１に示すように、上下に開口部を有する筒状の多孔フィルム２の内部に、吸水シート３及び防水フィルム４を重ねて挿入し、上下の多孔フィルム２と吸水シート３及び防水フィルム４を密着させて上下の開口部を熱シール等で接着してパッケージすることで傷口被覆シート１を構成する。この場合の傷口被覆シート１は、上下の多孔フィルム２の間に吸水シート３と防水フィルム４が挟持された四層構造となる。このような構成の傷口被覆シート１とすることで、切断部５９により切断される所定の幅を変更するだけで、縦方向にサイズの異なる複数種類の傷口被覆シート１を容易に製作することが可能となる。
【００７２】
以上、本実施例を通して本発明を説明してきたが、本発明はこれらに限定されるものではない。また、上述した各効果は、本発明から生じる最も好適な効果を列挙したに過ぎず、本発明による効果は、本実施例に記載されたものに限定されるものではない。
【符号の説明】
【００７３】
１：傷口被覆シート
２：多孔フィルム
３：吸水シート
４：防水フィルム
５：貼付部
【図１】
0005973490.tif 000002
【図２】
0005973490.tif 000003
【図３】
0005973490.tif 000004
【図４】
0005973490.tif 000005
【図５】
0005973490.tif 000006
【図６】
0005973490.tif 000007
【図７】
0005973490.tif 000008
【図８】
0005973490.tif 000009
【図９】
0005973490.tif 000010
【図１０】
0005973490.tif 000011
【図１１】
0005973490.tif 000012
【図１２】
0005973490.tif 000013